(57)【要約】【課題】構造が簡略であって、屋根への上げ下ろしや保管が容易であり、雪下ろし作業を省力化し、落下事故などの危険を回避できる雪下ろし補助具を提供すること。【解決手段】屋根から軒の下方へ垂れ下がるシート材２と、シート材２の棟側の端縁に沿って装着した定着用枠３を備え、雪に食い込む複数の鉤脚片６を定着用枠３に設けてある。定着用枠３を、台枠５と、台枠５の棟側及び軒側に突設した鉤脚片６と、台枠５の上面に着脱可能に重ねた押え板７で構成し、台枠５と押え板７でシート材２を挟持する。【選択図】図３
2015031038.tif 000002
【特許請求の範囲】
【請求項１】
屋根から軒の下方へ垂れ下がるシート材と、シート材の棟側の端縁に沿って装着した定着用枠を備え、雪に食い込む複数の鉤脚片を前記定着用枠に設けてあることを特徴とした雪下ろし補助具。
【請求項２】
前記定着用枠は、台枠と、前記台枠の棟側及び軒側に突設した前記鉤脚片と、前記台枠の上面に着脱可能に重ねた押え板から成り、前記台枠と押え板で前記シート材を挟持してあることを特徴とした請求項１に記載の雪下ろし補助具。
【請求項３】
前記定着用枠を長さ方向に分割及び組立可能としてあることを特徴とした請求項２に記載の雪下ろし補助具。
【請求項４】
前記鉤脚片を台枠に溶接してあることを特徴とした請求項２又は３に記載の雪下ろし補助具。
【請求項５】
前記鉤脚片を台枠に着脱可能に取り付けてあることを特徴とした請求項２又は３に記載の雪下ろし補助具。
【発明の詳細な説明】
【技術分野】
【０００１】
本発明は、屋根に積もった雪を滑り落とす雪下ろし補助具に関する。
【背景技術】
【０００２】
雪国における屋根の雪下ろしは、重労働であると共に、作業中の転落事故等もあり危険を伴う作業である。
スコップを用いる場合、屋根の積雪を、持ちあげられる程度の大きさにスコップで切り取って屋根下に投げ下ろすのであるが、屋根の上部（棟寄り）からの投げ下ろしは困難なため、軒先まで移動して雪を投げ下ろさなければならない。
雪を投げ下ろす度に軒先近くまで移動するのは、負担が大きいばかりでなく、落下事故につながる危険を伴う。
【０００３】
そこで、木製、金属製などの大型の樋を屋根に持ち上げて、屋根上部の作業位置から移動することなく、この樋に雪を投げ入れ、雪の塊を滑らせて屋根下に投下することが行なわれている。
しかし、重く嵩張る樋は、屋根への上げ下ろしが面倒であるし、作業位置に合わせて重い樋を移動させなければならず、不使用時の保管にも場所をとる。
スコップより多くの雪を一度に下ろせる道具として、大型の角型シャベルに持ち手枠を設けたスノーダンプが使用されている。
スノーダンプで切り取った大量の雪は、樋への投げ入れが困難なので、軒先付近より上の雪を下ろす場合、大量の雪を乗せたスノーダンプを軒先近くまで移動させて屋根下へ投下しなければならず、スコップによる作業に増して危険であった。
【０００４】
特許文献１には、握持杆を雪掬い部に枢着し、握持杆を伏動した時に、雪掬い部の先端が下方へ伏動するようにしたスノーダンプが記載されている。
このスノーダンプによれば、雪を軒下へ投下する際に、上体を前のめりにして握持杆を持ち上げる必要がないので、落下の危険性を少なくできるが、掬った雪を軒付近まで運んで投下するという作業の負担や危険性を低減することはできなかった。
また、特許文献２には、屋根を覆うようにシート材を配置し、棟に沿って設置した回転体にシート材の上縁部を巻き付け、回転体を回転駆動してシート材を移動させ、シート材上に積もった雪を落とす屋根用落雪装置が記載されている。
しかし、この装置は、回転体や回転体を駆動する駆動装置が必要であって、非常に構造が複雑であるばかりか、雪が降る前に予め屋根全面をシート材で覆っておかなければならず、実際的ではなかった。
【先行技術文献】
【特許文献】
【０００５】
【特許文献１】特開平９−１９５２３７号公報
【特許文献２】特開２００７−９５３１号公報
【発明の概要】
【発明が解決しようとする課題】
【０００６】
本発明が解決しようとする課題は、構造が簡略であって、屋根への上げ下ろしや保管が容易であり、雪下ろし作業を省力化し、落下事故などの危険を回避できる雪下ろし補助具を提供することにある。
【課題を解決するための手段】
【０００７】
本発明の雪下ろし補助具は、屋根から軒の下方へ垂れ下がるシート材と、シート材の棟側の端縁に沿って装着した定着用枠を備え、雪に食い込む複数の鉤脚片を前記定着用枠に設けてある。
屋根上の雪に鉤脚片を食いこませて定着用枠を定着させ、定着用枠から軒下に向かってシート材を垂らしておき、掬い取った雪をシート材に沿って滑落させる。
前記定着用枠を、台枠と、前記台枠の棟側及び軒側に突設した鉤脚片と、前記台枠の上面に着脱可能に重ねた押え板で構成し、前記台枠と押え板でシート材を挟持し、定着用枠をシート材から取り外し可能にするとよい。
この場合、前記定着用枠を長さ方向に分割及び組立可能とするのが望ましい。
前記鉤脚片は、台枠に溶接しても着脱可能に取り付けてもよい。
【発明の効果】
【０００８】
請求項１に係る発明によれば、定着用枠を移動させながら雪下ろしを行なうことにより、シート材の全幅に亘って、屋根のどの位置からも掬った雪を滑り落とすことができるので、屋根の頂上付近の雪を軒先付近まで運ぶ必要がなく、このため、雪下ろし作業の負担を軽減すると共に、落下事故の危険を回避することができる。
また、シート材の端縁に定着用枠を装着しただけの簡単な構造であり、容易に、且つ安価に製造できる。
装置全体が軽量で、シート材は巻き上げることもできるので、屋根への上げ下ろしや、屋根上での移動が容易であり、使用しない時はシート材を小さく巻いて収納することが可能である。
【０００９】
請求項２に係る発明によれば、使用しない時は定着用枠をシート材から外せるため、場所を取らずに保管できる。
請求項３に係る発明によれば、シート材から外した定着用枠を短くできるため、さらに保管しやすい。
請求項４に係る発明によれば、使用時に鉤脚片を台枠に取り付ける手間が不要で、組み立てが簡単である。
請求項５に係る発明によれば、収納する際に鉤脚片が引っ掛かって邪魔にならないので、保管しやすい。
【図面の簡単な説明】
【００１０】
【図１】本発明の実施例１を示す雪下ろし補助具の斜視図である。
【図２】本発明の実施例１に係る定着用枠の分解斜視図である。
【図３】本発明の実施例１を示す雪下ろし補助具の要部断面図である。
【図４】雪下ろし補助具の使用状態を示す斜視図である。
【図５】本発明の実施例２に係る定着用枠の分解斜視図である。
【図６】本発明の実施例２に係る定着用枠の斜視図である。
【図７】本発明の実施例３に係る定着用枠の分解斜視図である。
【図８】本発明の実施例３に係る定着用枠の斜視図である。
【発明を実施するための形態】
【００１１】
以下、本発明の実施例を図面に基づいて詳細に説明する。図１〜図４は本発明の実施例１を示す。
図１及び図２に示すように、実施例１の雪下ろし補助具１は、シート材２と、定着用枠３を備える。
シート材２は、一辺の長さが１８００ｍｍ〜５４００ｍｍの矩形状とした厚手の合成樹脂シートであって、市販のいわゆる「ブルーシート」を利用しても良い。
シート材２の少なくとも一端縁には、ハトメ孔のような固定孔４を適宜間隔ごとに形成してある（図３）。
【００１２】
定着用枠３は、アルミニウム、ステンレス等の錆びにくい金属を素材とし、シート材２の一辺とほぼ同じ長さを有する。
また、定着用枠３は、台枠５と、台枠５に設けた複数の鉤脚片６と、台枠５の上面に重ねた押え板７から成る。
台枠５は、アングル材をシート材２の一辺の長さに合わせて切断したものであって、その山形断面における片側の斜片８には、シート材２の固定孔４と対応した複数の貫通孔１０を形成してある。
【００１３】
鉤脚片６は、台枠５と同じ断面を有するアングル材を２０ｃｍ程度の長さに切断して成り、台枠５の両側縁に一定の間隔をおいて突設されている。鉤脚片６は、一方の側端を台枠５の側端に溶接することにより、鉤脚片６の稜線と台枠５の稜線が平行になるよう、且つ、両側の鉤脚片６が対向するよう台枠５に固定されている。
押え板７は、台枠５の片側の斜片８とほぼ同じ幅及び長さの帯状平板であり、台枠５の貫通孔１０と対応する位置にボルト挿通孔９を形成してある。
【００１４】
雪下ろし補助具１を組み立てるには、図３に示すように、台枠５の斜片８の上にシート材２の一端縁を載せ、その上に押え板７を重ね、台枠５の貫通孔１０と、シート材２の固定孔４と、押え板７のボルト挿通孔９を一致させる。
次いで、固定ボルト１１をボルト挿通孔９、固定孔４及び貫通孔１０に通し、固定ボルト１１の先端部にワッシャ１２を介して蝶ナット１３を締め込んで、台枠５の斜片８と押え板７でシート材２を挟持する。
これにより、シート材２の一端縁に沿って定着用枠３が着脱可能に装着される。
雪下ろし補助具１を用いる時は、押え板７で押えられた部分からシート材２を折り返して、台枠５及び押え板７の上にシート材２を被せる（図３）。
固定ボルト１１の頭部をシート材２と接する側にして組み立てることで、シート材２が破損しにくくなるが、露出した固定ボルト１１の頭部に柔軟なカバーを被せることで、より破損しにくくすることができる。
【００１５】
雪下ろしを行なう際は、図４に示すように、屋根Ａの軒先付近の雪を少しの厚みを残して下ろしてから、雪下ろし補助具１を屋根Ａ上にあげ、定着用枠３を軒と平行に配置し、台枠５の棟側及び軒側に突設した鉤脚片６を雪下ろしが済んだ部分の残った雪に食いこませる。また、シート材２は定着用枠３から屋根Ａの勾配に沿って延ばして軒の下方へ垂らす。
この状態で、スノーダンプＢ、スコップ等で掬った雪の塊をシート材２の上に落とすと、雪はシート材２に沿って軒下へ滑り落ちる。
屋根Ａの幅よりも雪下ろし補助具１の幅が狭い場合は、雪下ろし補助具１を軒と平行に移動させて雪下ろしを行なうか、或いは、複数の雪下ろし補助具１を並べて使用する。
【００１６】
作業者が軒方向へ移動せずに、掬った雪をシート材２に載せることができる範囲の雪下ろしを行ったら、定着用枠３を棟側へ軒と平行なまま引き上げる。直前に雪下ろし作業を行った場所で、鉤脚片６を雪に食い込ませて定着用枠３を定着させ、定着用枠３から軒の下方へシート材２を垂らす。
これを繰り返して、屋根Ａの軒から棟に向かって順次雪下ろしを行う。
従って、屋根Ａの頂上付近の雪であっても、作業者が軒方向へ移動することなく軒下へ投下することができる。
なお、シート材２の一辺の長さ及び定着用枠３の長さは、作業者の数、屋根Ａの大きさ等に応じて適宜選択する。
【００１７】
図５及び図６は、本発明の実施例２を示す。
実施例２では、定着用枠３を長さ方向に分割及び組立可能とし、鉤脚片６を台枠５に着脱自在に取り付けてある。
台枠５は、図５に示すように、長手方向に分割した複数の台枠ユニット５ａから成り、台枠ユニット５ａの斜片８には間隔をあけて貫通孔１０を形成し、逆側の斜片８’には、両端部にそれぞれ１個の連結用孔１４を形成すると共に、中間部にやや間隔をあけて配置した一対の連結用孔１４を形成してある。
鉤脚片６は、台枠５と同じ断面のアングル材１５ａ，１５ｂ，１５ｃを平行に３個連続した形状の短尺材であり、中央のアングル材１５ｂを台枠５の下面に重ねて取り付ける。中央のアングル材１５ｂの両端部には、台枠５の連結用孔１４と対応する透孔１６を形成してある。
押え板７は、台枠ユニット５ａと同じ長さの複数の押え板ユニット７ａから成る。
【００１８】
台枠５及び鉤脚片６を組み立てるには、図５及び図６に示すように、複数の台枠ユニット５ａを一直線上に並べて端面を突き合わせ、台枠ユニット５ａの下面に、隣接する台枠ユニット５ａの突き合わせ部を跨ぐよう、鉤脚片６の中央のアングル材１５ｂを重ねる。
次いで、台枠ユニット５ａの端部の連結用孔１４及び鉤脚片６の透孔１６に連結用ボルト１７を挿通し、連結用ボルト１７にワッシャ１８を介してナット１９を締め込んで、台枠ユニット５ａの端部に鉤脚片６を取り付けると共に、鉤脚片６を介して複数の台枠ユニット５ａを連結する。
また、台枠ユニット５ａの中間部の下面に鉤脚片６の中央のアングル材１５ｂを重ね、連結用孔１４及び透孔１６に通した連結用ボルト１７と、ワッシャ１８を介してこれに螺合したナット１９によって、台枠ユニット５ａの中間部にも鉤脚片６を取り付ける。
【００１９】
押え板ユニット７ａは、連結した台枠ユニット５ａの斜片８の上に重ねて、固定ボルト１１、ワッシャ１２及び蝶ナット１３で固定することにより、台枠５を介して長手方向に組み立てられる。
組み立てに際して、固定ボルト１１、連結用ボルト１７の頭部をシート材２と接する側にすることで、シート材２が破損しにくくなるが、露出した固定ボルト１１、連結用ボルト１７の頭部に柔軟なカバーを被せることで、より破損しにくくすることができる。
実施例２の雪下ろし補助具は、鉤脚片６を台枠５から取り外せるだけでなく、定着用枠３を長手方向に分割できるので、保管する際に鉤脚片６が引っ掛かって邪魔にならず、場所も取らない。
その他の構造及び使用方法は、実施例１と同様である。
【００２０】
図７及び図８は、本発明の実施例３を示す。
実施例３では、溝形断面を有するチャンネル材で台枠５及び押え板７を形成し、リップ付き溝形断面の鉤脚片６を台枠５の両側面に突設してある。また、台枠５には貫通孔１０を形成せず、押え板７にはボルト挿通孔９を設けていない（図７）。
シート材２に定着用枠３を取り付けるには、シート材２の端部を台枠５の上面に被せ、その上から押え板７を被せて強く押し下げ、台枠５と押え板７を、シート材２を挟んで無理嵌めする（図８）。従って、特にボルト止めしなくても、工具等を用いて強制的に引きはがさない限り、押え板７が台枠５から外れることはない。
その他の構造及び使用方法は、実施例１と変わるところはない。
【００２１】
なお、本発明の雪下ろし補助具の構造は、上記実施例に限定されない。
例えば、チャンネル材で形成した台枠５及び押え板７であっても、台枠５とシート材２と押え板７をボルトで固定することができ、実施例２と同様に、台枠５及び押え板７を長手方向に分割可能とし、台枠５に鉤脚片６を取り外し可能に突設してもよい。
また、長手方向に分割できない台枠５に鉤脚片６を取り外し可能に装着することも可能である。
台枠５、鉤脚片６及び押え板７の断面を台形としても、台枠５と鉤脚片６を異なる断面形状としても良い。
シート材２の棟側の端部に定着用枠３を取り外しできないよう固定しても良いが、上記各実施例のように、シート材２と定着用枠３を分離できるようにすることは、保管しやすく、シート材が破損した時に容易に交換することもできるため望ましい。
【符号の説明】
【００２２】
１    雪下ろし補助具
２    シート材
３    定着用枠
４    固定孔
５    台枠
５ａ  台枠ユニット
６    鉤脚片
７    押え板
７ａ  押え板ユニット
８    斜片
９    ボルト挿通孔
１０  貫通孔
１１  固定ボルト
１２  ワッシャ
１３  蝶ナット
１４  連結用孔
１５ａ，１５ｂ，１５ｃ  アングル材
１６  透孔
１７  連結用ボルト
１８  ワッシャ
１９  ナット
【図１】
2015031038.tif 000003
【図２】
2015031038.tif 000004
【図３】
2015031038.tif 000005
【図４】
2015031038.tif 000006
【図５】
2015031038.tif 000007
【図６】
2015031038.tif 000008
【図７】
2015031038.tif 000009
【図８】
2015031038.tif 000010